(57)【要約】【課題】  横になって楽な姿勢をとる際、無意識に多くの人が脚を高い位置にもっていく。例えば座布団を重ねた上に脚を置いたりすることが多い。これは多くの人が、脚を高い位置に置いた姿勢が楽であると体感しており、また、潜在的に体が脚を高くする事を要求しているからでもある。本発明は、これらの要求を満たし、一貫した楽な姿勢で、睡眠又は休息できるようなクッション素材からなる敷きマットを提供することにある。【解決手段】  従来、敷きマットの形状及び敷きマットクッション素材の形状は、厚さがほぼ均一で、平坦であることが一般的な基本であり、全く進化していない。課題を解決する具体的手段として、睡眠又は休息する際に、上半身を置く位置と脚を置く最高位置の差Δｈ１〜３が２０ｍｍ〜８０ｍｍとなる様に、大腿を置く傾斜形成クッションＢと、下腿を置く平坦形成クッションＣを付設したクッション素材からなる敷きマットとすることで解決した。【選択図】図３
2006061232.tif 000002
【特許請求の範囲】
【請求項１】
脚を上半身より高い位置において使用することを目的とし、上半身を置く位置は床に水平な汎用クッションとし、大腿を置く位置に傾斜角度５度〜４５度の傾斜形成クッションを、又下腿を置く位置に平坦形成クッションを付設した敷きマット。
【請求項２】
脚を上半身より高い位置において使用することを目的とし、上半身を置く位置に床に水平な汎用クッションを、脚を置く位置全体に、傾斜角度５度〜４５度の傾斜形成クッションを付設した敷きマット。
【請求項３】
脚を上半身より高い位置において使用することを目的とし、脚を置く部分が膝部を頂点とした山型になるように、上半身を置く位置に床に水平な汎用クッションを、大腿を置く位置に傾斜角度５度〜４５度の傾斜形成クッションを、又下腿を置く位置に大腿を置く位置に設けた傾斜形成クッションを左右反転した傾斜形成クッションを付設した敷きマット。
【請求項４】
汎用クッションと傾斜形成クッション又は平坦形成クッションが位置ずれを起こさない為に接合面が、敷きマットの横方向に山型の凹凸部を概１０ｍｍ間隔で設けた嵌め合構造であることを特徴とした、請求項１〜３記載の敷きマット。
【請求項５】
汎用クッションと傾斜形成クッション又は平坦形成クッションが位置ずれを起こさない為に接合面が、敷きマットの横方向に角型の凹凸部を概１０ｍｍ間隔で設けた嵌め合構造であることを特徴とした、請求項１〜３記載の敷きマット。
【請求項６】
クッションが単体の素材からなる請求項１〜３記載の敷きマット。
【請求項７】
敷きマットクッション素材の、脚側の最端から５００ｍｍ〜７００ｍｍの間の位置の全幅に、深さが２０ｍｍ〜８０ｍｍのスリットを入れ、傾斜形成クッション又は平坦形成クッションにスリットを設けた請求項１〜６記載の敷きマット。
【請求項８】
上半身を置く位置と脚を置く最高位置の差Δｈ１〜Δｈ３が２０ｍｍ〜８０ｍｍである請求項１〜６記載の敷きマット。
【発明の詳細な説明】
【技術分野】
【０００１】
本発明は、より快適な睡眠又は休息が得られる敷きマットの形状及び、該敷きマットを構成するクッション素材に関するものである。
【背景技術】
【０００２】
敷きマットの構成と素材は様々な工夫が施され、より快適な睡眠又は休息を得ることができる敷きマットに進化している。一方敷きマットの形状は、厚さがほぼ均一で平坦であることが現在までの一般的な構成である。脚を置く位置が上半身を置く位置より高く、睡眠又は休息を得ることを目的とした寝具は、脱着が自在な足枕付パット（特許文献１参照）寝具用敷物（特許文献２参照)があり、補助器具として敷きマットに装着して使用される。これらは使用する人の疲労度又目的に合わせて、平面の敷きマットと兼用することを目的としており、脚を置く位置が上半身を置く位置より高く、睡眠また休息を得ることの生活習慣化は極めて困難である。
【特許文献１】実用新案登録第３０７０１０６号公報
【特許文献２】実用新案登録第３０９２５７７号公報
【０００３】
又、脚を置く位置が上半身を置く位置より高く、睡眠又は休息を得ることを目的とした組み合わせマット(特許文献３参照）脚乗せ体付寝具（特許文献４参照）があり、これらは必要に応じ組合し又ファスナーを介し接合する。即ち、分離が自由自在ということである。従って、平面の敷きマットと兼用をすることを目的とすることから、脚を置く位置が上半身を置く位置より高く、睡眠又は休息を得ることの生活習慣化は、極めて困難である。
【特許文献３】特開２００１−３４０１７４号広報
【特許文献４】特開２００２−２６３１４６号広報
【０００４】
更に、敷きマット全体を傾斜した事を特徴としたマット(特許文献５参照）があり、本発明敷きマットの目的及び課題が正反対に相違する。特許文献５は、容易に敷きマットが変形し、多種多様な姿勢を得ることが目的であり、従って脚を置く位置が上半身を置く位置より高く、睡眠又は休息を得ることの生活習慣化は、極めて困難である。
【特許文献５】特開２００２−１７７０９６
【０００５】
即ち、いずれの先行文献にも、本発明が解決しょうとする課題のすべてを解決するものはみられない。
【発明の開示】
【発明が解決しようとする課題】
【０００６】
脚を置く位置が上半身を置く位置より高く、睡眠又は休息を得る為の寝具が次々と考案
又発明された。一方でこれらの寝具は、脚を置く為に設けた傾斜又は段差の部分の使用中止又は使用停止が相次ぎ、結果として市場からは姿を消す方向にある。従って脚を置く位置が上半身を置く位置より高く、睡眠又は休息を得ることを生活習慣化する観点からは、満足し得るものではない。これらの結果の分析と特許文献を調査し、得た結論からの共通の概念は、平面の敷きマットと兼用する為の装着と分離を自由自在とすることである。又これらの寝具は、使い勝手の良さを主目的としている。本発明敷きマットは、これらの結論からの共通の概念を検討し、使用する際に、脚を置く位置が上半身を置く位置より高く、睡眠又は休息を得ることを生活習慣化し、脚を置く為に設けた傾斜又段差の部分の位置ずれが起こらずに、長期間使用できる敷きマットを提供することにある。
【課題を解決するための手段】
【０００７】
課題を解決する具体的手段として、睡眠又は休息を得る際に、上半身を置く位置と脚を置く最高位置の差Δｈ１〜Δｈ３が２０ｍｍ〜８０ｍｍとなる様に、上半身を置く位置に汎用クッションＡを、大腿を置く位置に傾斜形成クッションＢを、下腿を置く部分に平坦形成クッションＣを付設し、これら三体のクッション素材Ａ〜Ｃが位置ずれを起こさない為に接合面が、敷きマットの横方向に山型又角型の凹凸部を概１０ｍｍ間隔で設けた嵌め合構造であることを特徴としたクッション素材からなる敷きマットとすることで課題を解決した。これにより、脚を置く位置が上半身の位置より高く、睡眠又は休息を得ることを必然に生活習慣化する。
【発明の効果】
【０００８】
本発明敷きマットを仰向けで使用した場合、膝関節と股関節を十分に曲げる事ができることから腰の痛みをやわらげ、またうつ伏せで使用した場合は、背骨と背筋を反らすことから快適感が得られ、かつ血行を良くする等の効果がある。尚、寝返りや横向き又脚をくの字に曲げて使用した場合も、腰には負担がかからず、膝間接と股関節を十分に曲げることができる。脚が疲れているときには血液やリンパ液の流れが滞り、浮腫みを起こすことがある。その時の対処法として、仰向けになり脚を高くする事が効果的であることがよく知られている。脚の疲れは腰に、又腰の疲れは脚に影響するとされる事から、腰、膝、脚に痛みを持ち悩んでいる人には、本発明敷きマットを使用する事が、改善策の一つとして極めて有効であると言える。
【０００９】
心臓病の際、救急隊到着までの応急処置として、足側高位が体位確保の一つとされている。心臓の位置より、脚の位置を高くし、仰向けになる事で脳、肺、心臓、肝臓、腎臓及びその他重要な臓器の血流を増やす効果がある。多くの人が、通常毎日平均七時間程度寝
具を使用しているが、本発明敷きマットを導入することで、脚を置く位置が上半身の位置より高く、睡眠又は休息を得ることを必然に生活習慣化する。また、より快適な睡眠又は休息と血流を良くすることの相乗効果により、健康増進の効果も有することになる。
【発明を実施するための最良の形態】
【００１０】
図１に、請求項１記載の本発明敷きマットの斜視図を、図２に請求項１記載の本発明敷きマットの断面構成図を示す。現在、シングルサイズの敷きマットの寸法は一般に縦２１００ｍｍ×横１０００ｍｍである。本発明敷きマットは、脚を置く位置が上半身を置く位置より高く、睡眠又は休息を得ることを目的とし、脚を置く位置と上半身を置く位置に、段差及びこの段差をつなぐ傾斜を設けた敷きマットとなるように、下腿を置く部分と上半身を置く部分の段差Δｈ１が２０ｍｍ〜８０ｍｍであり、上半身を置く位置は床に水平な縦２１００ｍｍ×横１０００ｍｍ×高さ２０ｍｍ〜８０ｍｍの汎用クッションＡとし、大腿を置く位置に傾斜角度５度〜４５度の縦５０ｍｍ〜３００ｍｍ×横１０００ｍｍ×高さ２０ｍｍ〜８０ｍｍの傾斜形成クッションＢとし、又下腿を置く部分が縦５０ｍｍ〜３００ｍｍ×横１０００ｍｍ×高さ２０ｍｍ〜８０ｍｍの平坦形成クッションＣとし、これら三体のクッション素材Ａ〜Ｃの接合面が、敷きマットの横方向に山型又角型の凹凸部を概１０ｍｍ間隔で設けた嵌め合構造であることを特徴とした本発明敷きマットとなる。従って本発明敷きマットの導入により、脚を置く位置が上半身を置く位置より高く、睡眠又は休息を得ることを必然に生活習慣化する。又本発明敷きマットの課題に沿うものであれば、各自の身体能力、感じ方が様々であることからΔｈ１の大きさは特定できない。尚、敷きマットの仕立て方法は多種多様である為に特定するべきものではない。
【００１１】
図４に、請求項２記載の本発明敷きマットの断面構成図を示す。本発明敷きマットは、脚を置く位置が上半身を置く位置より高く、睡眠又は休息を得ることを課題とし、脚を置く部分全体に傾斜を設けた敷きマットとなるように、上半身を置く部分と脚側の最端の傾斜差Δｈ２が２０ｍｍ〜８０ｍｍであり、上半身を置く部分が床に水平な縦２１００ｍｍ×横１０００ｍｍ×高さ２０ｍｍ〜８０ｍｍの汎用クッションＡとし、脚を置く部分が傾斜角度５度〜４５度の縦３００ｍｍ〜８００ｍｍ×横１０００ｍｍ×高さ２０ｍｍ〜５０ｍｍの傾斜形成クッションＤとし、これら二体のクッション素材ＡとＤの接合面が、敷きマットの横方向に山型又角型の凹凸部を概１０ｍｍ間隔で設けた嵌め合構造であることを特徴とした本発明敷きマットとなる。本発明敷きマットの課題に沿うものであれば、各自の身体能力、感じ方が様々であることからΔｈ２の大きさはΔｈ１同様特定するものではない。
【００１２】
図５に、請求項３記載の本発明敷きマットの断面構成図を示す。本発明敷きマットは、脚の膝部を置く位置が上半身を置く位置より高く、睡眠又は休息を得ることを目的とし、脚を置く部分が膝部を頂点とした山型の傾斜を設けた敷きマットとなるように、上半身を置く位置に床に水平な汎用クッションＡを、大腿を置く位置に傾斜角度５度〜４５度の傾斜形成クッションＢを、又下腿を置く位置に大腿を置く位置に設けた傾斜形成クッションを左右反転した傾斜形成クッションＥを付設した敷きマットとなるように、上半身を置く部分と膝部を置く部分の高さの差Δｈ３が２０ｍｍ〜８０ｍｍであり、上半身を置く部分に床に水平な縦２１００ｍｍ×横１０００ｍｍ×高さ２０ｍｍ〜８０ｍｍの汎用クッションＡとし、大腿を置く部分に傾斜角度５度〜４５度の縦５０ｍｍ〜３００ｍｍ×横１０００ｍｍ×高さ２０ｍｍ〜８０ｍｍの傾斜形成クッションＢとし、下腿を置く部分に傾斜形成クッションＢを左右反転させた傾斜角度５度〜４５度、縦５０ｍｍ〜３００ｍｍ×横１０００ｍｍ×高さ２０ｍｍ〜８０ｍｍの傾斜形成クッションＥとする。これら三体のクッション素材Ａ〜Ｅの接合面が、敷きマットの横方向に山型又角型の凹凸部を概１０ｍｍ間隔で設けた嵌め合構造であることを特徴とした本発明敷きマットとなる。本発明敷きマットの課題に沿うものであれば、各自の身体能力又は感じ方が様々であることからΔｈ３の大きさはΔｈ１，Δｈ２同様に特定するものではない。
【００１３】
図６と図７に、請求項４と５記載の本発明敷きマットの断面構成図を示す。三体のクッション素材Ａ〜Ｃの接合面が平面で付設した敷きマットを、長期間に亘り使用した場合、寝具生活での度重なる寝返り又は足蹴り等の、圧力による摩擦力が生じる為、傾斜形成クッションＢと平坦形成クッションＣの位置ずれが起る。本発明敷きマットの課題は、傾斜形成クッションＢ又は平坦形成クッションＣの位置ずれが起らずに、長期間使用できる敷きマットを提供する事にあり、この課題を解決する具体的手段として、三体のクッション素材Ａ〜Ｃのが、敷きマットの横方向に山型又角型の凹凸部を概１０ｍｍ間隔で設けた嵌め合構造であることを特徴としたクッション素材からなる本発明敷きマットとする。それにより、寝具生活での度重なる寝返り又は足蹴り等の、圧力による摩擦力を凹凸部が反発し、又塞き止める役割をし、傾斜形成クッションＢと平坦形成クッションＣの位置ずれが起らない。更に強度を増す為に、数箇所を縫い合わし接合する。これにより、長期間使用できる敷きマットを提供することになる。縫い合し方は多種多様である為に特定するものではない。尚、本発明敷きマットクッション素材の原材料は、クッション素材としての弾力性を満たすものであれば特定しない。
【００１４】
図２の傾斜形成クッションＢを設ける事で、平坦形成クッションＣの連続性が滑らかになる。その為、敷きマットクッション素材が体に馴染み、平坦形成クッションＣがある事の違和感が生じない。また外観は安眠できる敷きマットの重要な要素であり、敷きマットとしての美しさを失ってはならないが、本発明敷きマットはこの要素についても満足し得るものである。
【００１５】
図３に、請求項１記載の本発明敷きマットの使用状態を示す。使用方法は従来の敷きマットと同様である。上半身を置く部分１に上半身を置き、大腿を置く部分２に大腿を置き、下腿を置く部分３に下腿を置いて使用する。枕などは従来の該敷きマットと同様に、使用する人に合ったものを使用すればよい。寝返りをうつことやうつ伏せで使用する場合も、大腿を置く為に設けた傾斜２がそれに沿う傾斜となり、従来の敷きマットクッションと同様に、いかなる体位にも対応することができる。
【００１６】
図８に、請求項６記載の本発明敷きマットの断面構成図の例を示す。三体のクッション素材Ａ〜Ｃを同一の素材によって構成する際は、該クッション素材を付設し本発明敷きマットとする必要性に欠ける。その為、汎用クッションＡと傾斜形成クッションＢ又は平坦形成クッションＣが、単体のクッション素材Ｆからなる敷きマットとすることが、極めて有効である。
【００１７】
図２より、請求項７の本発明敷きマットを説明する。効率良く、三つ折りし収納ができる具体的な手段として、脚を置く位置に付設した傾斜形成クッションＢ又は平坦形成クッションＡに、脚側の最端から概７００ｍｍの位置の全幅に、深さが２０ｍｍ〜８０ｍｍのスリット８を入れる。これにより効率良く、三つ折りし収納ができる本発明敷きマットとなる。又四つ折りの敷きマットとする際は、脚を置く位置に付設した傾斜形成クッションＢ又は平坦形成クッションＡに、脚側の最端から概５００ｍｍの位置の全幅に、深さが２０ｍｍ〜８０ｍｍのスリット８を入れる。又大腿を置く位置と下腿を置く位置の境９はスリットとしても兼用することができる。従って、使用する人の身体能力や使用目的によってスリット８を設ける位置を変え合わすことが極めて有効である。
【００１８】
図２より、請求項８記載の本発明敷きマットを説明する。上半身を置く位置と脚を置く最高位置の差Δｈ１が２０ｍｍ〜８０ｍｍである。Δｈ１が、概２０ｍｍ以下での使用も可能であるが、効果は小さくなる。又Δｈ１が、８０ｍｍ以上とすると効果が大きくなることから、医療、マッサージ等の特殊な用途の敷きマットとしては適している場合もあるが、長期的に使う寝具としては好ましくない。使用する人の身体能力や使用目的によってΔｈ１を変えたものを使用するのが理想的であり、上半身を置く位置と脚を置く最高位置の差Δｈ１〜Δｈ３の大きさは特定するものではない。
【００１９】
本発明敷きマットの面積は使用者の身体能力、目的に適い寸法を変えるのが安眠できる寝具の重要な要素であることから特定するものではない。さらに、側素材及び詰め物素材は、本発明敷きマットの目的に適うものであれば、化学製品、植物製品、動物製品、金属製品等いずれであってもよい。
【実施例】
【００２０】
図３に示す、本発明敷きマットを２０歳代から８０歳代までの男性４名と女性４名に２週間使用してもらった。その内の５０歳代男性１名が腰痛、ヘルニアで悩みを抱えている人であり、普段は敷きマット上に、座布団２〜３枚を足枕がわりに敷いて寝ているとのことであった。座布団だと毎回準備する必要があり、また就寝中に位置ずれの修正を行なわなければならないこと等問題が多い。本発明敷きマットの試用では、敷きマットそのものに段差がついていることに満足し、安眠できたとの結果を得た。また、女性１名は立ち仕事の多い職業に就いており、よく起床後に脚の脹脛が浮腫んでいるとのことであったが、試用した２週間は脚の脹脛が浮腫まず、安眠できた。そして、８名全員が何の違和感もなく快適な睡眠を得ることができた。
【図面の簡単な説明】
【００２１】
【図１】請求項１記載の本発明敷きマットの斜視図である。
【図２】請求項１記載の本発明敷きマットの断面構成図である。
【図３】請求項１記載の本発明敷きマットの使用状態を示す図である。
【図４】請求項２記載の本発明敷きマットの断面構成図である。
【図５】請求項３記載の本発明敷きマットの断面構成図である。
【図６】請求項４記載の本発明敷きマットの断面構成図である。
【図７】請求項５記載の本発明敷きマットの断面構成図である。
【図８】請求項６記載の本発明敷きマットの断面構成図の例である。
【符号の説明】
【００２２】
１  上半身を置く位置
２  大腿を置く位置
３  下腿を置く位置
４  大腿を置く位置の最端
５  下腿を置く位置の最端
６  大腿を置く位置の最端と下腿を置く位置の最端を結ぶ傾斜
７  膝を置く位置
８  スリット
９  大腿を置く位置と下腿を置く位置の境
Ａ  汎用クッション素材
Ｂ  傾斜形成クッション素材
Ｃ  平坦形成クッション素材
Ｄ  傾斜形成クッション素材
Ｅ  傾斜形成クッション素材
Ｆ  単体のクッション素材  
Δｈ１  下腿を置く部分と上半身を置く部分の段差
Δｈ２  上半身を置く部分と脚側の最端の傾斜差
Δｈ３  上半身を置く部分と膝部を置く部分の高さの差
【図１】
2006061232.tif 000003
【図２】
2006061232.tif 000004
【図３】
2006061232.tif 000005
【図４】
2006061232.tif 000006
【図５】
2006061232.tif 000007
【図６】
2006061232.tif 000008
【図７】
2006061232.tif 000009
【図８】
2006061232.tif 000010